(57)【要約】      （修正有）【課題】開封時に誤って内容物を破いてしまうことを防止する、開封型封筒を提供する。【解決手段】開封型封筒は紙製の封筒本体に開封用のミシン目６（開封用の切り離し部）が、無端となるように連続して形成されている。５はセロファンシート等よりなる破損防止用シートであり、封筒本体の内側前面上部のミシン目６に位置するように粘着材９により貼り付ける。開封型封筒の作製順は、基材シート１０の下側部１１を破損防止用シート５が貼られた中央部１２上に折り畳み、その上に上側部１４を折り畳んで縁部どうしを貼り合わせ、底部１５を上側部１４と下側部１１上に折り畳んで貼り付ける。【選択図】図３
0003157597.tif 000002
【実用新案登録請求の範囲】
【請求項１】
封筒本体に開封用の切り離し部を備える開封型封筒において、
前記切り離し部の内面側に沿って、切り離しによる開封動作に伴う内容物の破損を防止する破損防止用シートが配置されてなることを特徴とする開封型封筒。
【請求項２】
前記封筒本体が窓を備え、前記破損防止用シートが透明でその窓の内面側に貼られてなる請求項１記載の開封型封筒。
【請求項３】
前記破損防止用シートの貼り付けが粘着材による請求項１または２記載の開封型封筒。
【請求項４】
前記切り離し部が無端となるように連続して形成され、切り離し開封により切り離される側全部が取り外される請求項１記載の開封型封筒。
【考案の詳細な説明】
【技術分野】
【０００１】  この考案は、開封型封筒の改良に関する。
【背景技術】
【０００２】  封筒として、ミシン目による切り離し部が形成され、その切り離しにより容易に開封が行える開封型封筒がある。
【考案の概要】
【考案が解決しようとする課題】
【０００３】  しかしながらこの開封型封筒の場合、開封時の封筒の切り離し際して誤って内容物を一体に破ってしまうことがあった。【０００４】  この考案は、上記の事情に鑑みて行ったもので、開封時に誤って内容物が破られることが防止される開封型封筒を提供する。【０００５】  この考案では、封筒本体に開封用の切り離し部を備える開封型封筒において、前記切り離し部の内面側に沿って、切り離しによる開封動作に伴う内容物の破損を防止する破損防止用シートが配置されてなる構成とする。【０００６】  上記構成によれば、開封時に切り離し部を切り離す際に内容物を一緒に持ってしまうことがあっても、破損防止用シートがあることで切り離しが阻止され、内容物が破られることが回避される。【０００７】  封筒本体が窓を備え、破損防止用シートが透明でその窓の内面側に貼られてなる構成されることで、従来使用する窓用シートを延出する構成として破損防止用シートを配置することができ、封筒の製作が容易に行われる。また、破損防止用シートの貼り付けが粘着材によることでその取り外しが容易に行え、プラスチックシートよりなる破損防止用シートが取り外されることで封筒のリサイクル使用が可能となる。また、開封用の切り離し部が無端となるように連続して形成され、切り離し開封により切り離される側の全体が取り外される構成とされることで、他方の側がきれいな形状に残って封筒の内容物を保管するように使用できる。
【考案の効果】
【０００８】  この考案によれば、開封時に誤って内容物が破られることが防止される開封型封筒が得られる。
【図面の簡単な説明】
【０００９】
【図１】  この考案の開封型封筒の実施形態の正面図
【図２】  この考案の開封型封筒の実施形態の背面図
【図３】  この考案の開封型封筒製作に使用する基材シートの実施形態の展開図
【図４】  この考案の開封型封筒の実施形態の開封説明図
【図５】  この考案の開封型封筒の実施形態の開封説明図
【図６】  この考案の開封型封筒の実施形態の開封後の使用説明図
【図７】  この考案の開封型封筒の他の実施形態の正面図
【図８】  この考案の開封型封筒製作に使用する基材シートの他の実施形態の展開図
【考案を実施するための形態】
【００１０】  図１はこの考案の封筒の実施形態の正面図、図２は同背面図、図３は封筒製作に使用する基材シートの実施形態の展開図でその内面側を示す。開封型封筒１は紙製の封筒本体２に開封用のミシン目（開封用の切り離し部）６が形成されている。ミシン目６は、図３からも分かるように、無端となるように連続して形成されている。５はセロファンシート等よりなる破損防止用シートであり、封筒本体２の前面上部においてミシン目６の内面側に位置するように粘着材９により貼り付けられて取り付けられている。
【００１１】  開封型封筒１の製作は、基材シート１０の下側部１１が破損防止用シート５が貼られた中央部１２上に折り畳まれるとともに、その上部に上側部１４が折り畳まれて下側部１１と上側部１４との縁部どうしが貼り合わされ、さらに底部１５が上側部１４と下側部１１上に折り畳まれて貼り付けられることで行われる。
【００１２】  開封型封筒１の開封は、図４に示すように、ミシン目６により形成される裏面側の指かけ部２０を始めに切り離して立ち上げ、Ｘ位置を一方の手で押さえ、指かけ部２０近傍のＹ位置を他方の手で持ってミシン目６を切り離していき、さらに、左側に引っ張るようにしてミシン目６を切り離していく。これにより、指かけ部２０を一体する切り離し側Ａは、図５に示すように、両側に分かれるミシン目６に沿って他方の側Ｂから切り離されて開封される。
【００１３】  上記の指かけ部２０近傍のＹ位置を他方の手で持ってミシン目６を切り離す際に内容物Ｚを一緒に持ってしまう場合があるが、そのまま切り離そうとしてもミシン目６の内面側に破損防止用シート５があることで切り離しが阻止される。その場合には再びＹ位置において封筒本体２のみを持ち直すようにして切り離しを行い、これにより従来発生していた内容物Ｚの破損が確実に防止される。ミシン目６による指かけ部２０が設けられており、また、ミシン目６に湾曲部６ａが備えられていることで、切り離し作業が容易、かつ、スムーズになされる。
【００１４】  また、上記の切り離しに際して、破損防止用シート５のＸ位置が右手で押さえられていることで、破損防止用シート５は、図５に示すように、その位置に残り、粘着材９で貼られていることでその破損防止用シート５から側Ａが剥がれていく。さらに、ミシン目６が封筒本体２の端縁部２１にも設けられていて無端連続であることで、その側Ａは側Ｂから完全に取り外される。最後に、位置Ｘから手を離し、破損防止用シート５の露呈する部分を少し力をかけて引き出すことで、粘着材９による貼り付け部が剥がれることで破損防止用シート５が側Ｂから完全に取り外される。破損防止用シート５は側Ｂにおいて必ずしも粘着材９で貼り付けなくてもよいが、貼り付け固定されることで内容物Ｚの差し入れが、その破損防止用シート５の端部が邪魔となることなくスムーズに行える。
【００１５】  上記のように側Ａが完全に取り外されることで側Ｂはきれいな形状に残り、これにより、図６に示すように、側Ｂは内容物Ｚを保管するように使用することができる。また、セロファンシートよりなる破損防止用シート５が開封に伴い容易に側Ａ、側Ｂから取り外せることで、開封型封筒１はリサイクル使用に好適なものとなる。
【００１６】  図７はこの考案の開封型封筒の他の実施形態の正面図、図８は封筒製作に使用する基材シートの実施形態の展開図でその内面側を示す。開封型封筒１は封筒本体２の前面の一方側上部に送り先住所表示用の窓３を備えている。この実施形態では上記窓３を内側から覆う透明シートが破損防止用シート５により兼用されているもので、その他の構成は上記実施形態のものと同様で、また、その作用効果も同様に果たされる。
【符号の説明】
【００１７】  １    封筒
２    封筒本体
５    破損防止用シート
６    ミシン目（開封用の切り離し部）
【図１】
0003157597.tif 000003
【図２】
0003157597.tif 000004
【図３】
0003157597.tif 000005
【図４】
0003157597.tif 000006
【図５】
0003157597.tif 000007
【図６】
0003157597.tif 000008
【図７】
0003157597.tif 000009
【図８】
0003157597.tif 000010